(57)【要約】      （修正有）【課題】リラクゼーション装置を提供する。【解決手段】リラクゼーションシステム２を収容するための収容空間を備えた本体を含むリラクゼーション装置であって、該リラクゼーションシステム２がスイッチ手段２１と制御手段２２と振動手段２３と音声出力手段２４とを含み、該制御手段が該スイッチ手段に接続し、且つ少なくとも１つのなだめるための音声信号を保存するためのストレージモジュール２２１を備え、スイッチ信号によってオンにすることで、制御信号を生成すると共に該少なくとも１つのなだめるための音声信号を出力し、該振動手段が該制御信号によって振動を発生して該本体を振動させ、該音声出力手段が該少なくとも１つのなだめるための音声信号を受信して少なくとも１つのなだめるような音を出力することで、人間又は動物の緊張感や不安感を効果的になだめる。【選択図】図３
0003209539.tif 000002
【実用新案登録請求の範囲】
【請求項１】
リラクゼーション装置であって、リラクゼーションシステムを収容するための収容空間を備えた本体を含み、前記リラクゼーションシステムは、
スイッチ信号を生成するためのスイッチ手段と、
前記スイッチ手段に接続し、且つ少なくとも１つのなだめるための音声信号を保存するためのストレージモジュールを備え、前記スイッチ信号によってオンにすることで、制御信号を生成すると共に前記少なくとも１つのなだめるための音声信号を出力する制御手段と、
前記制御手段に接続し、前記制御信号によって振動を発生して前記本体を振動させる振動手段と、
前記制御手段に接続し、前記少なくとも１つのなだめるための音声信号を受信することで、少なくとも１つのなだめるような音を出力する音声出力手段と、
を含むことを特徴とするリラクゼーション装置。
【請求項２】
前記なだめるような音は、心音及び／又は呼吸音とすることを特徴とする請求項１に記載のリラクゼーション装置。
【請求項３】
前記本体は、上部ケーシングと下部ケーシングとを備え、前記上部、下部ケーシングが共同で収容空間を特定することを特徴とする請求項１に記載のリラクゼーション装置。
【請求項４】
前記スイッチ手段と前記制御手段と前記振動手段と前記音声出力手段に接続並びに電源を供給する給電手段を更に備え、前記給電手段が電池或いはソーラー式電源装置であることを特徴とする請求項１に記載のリラクゼーション装置。
【請求項５】
前記音声出力手段は、スピーカとすることを特徴とする請求項１に記載のリラクゼーション装置。
【請求項６】
前記制御手段は、制御回路基板とすることを特徴とする請求項１に記載のリラクゼーション装置。
【請求項７】
前記振動手段は、コアレスモータとすることを特徴とする請求項１に記載のリラクゼーション装置。
【請求項８】
前記本体は、ハート型、円形、矩形又はそれら以外の幾何学的形状を呈することを特徴とする請求項１に記載のリラクゼーション装置。
【請求項９】
前記リラクゼーションシステムは、前記制御手段に接続し、外部遠隔制御信号を受信し、また前記外部遠隔制御信号によって前記制御手段のオン又はオフを制御するための受信手段を更に備えることを特徴とする請求項１に記載のリラクゼーション装置。
【請求項１０】
前記外部遠隔制御信号は、遠隔制御装置から生成することを特徴とする請求項９に記載のリラクゼーション装置。
【請求項１１】
前記遠隔制御装置は、携帯電話、リモコン、ＰＤＡ、タブレット電子機器又はスマートウォッチとすることを特徴とする請求項１０に記載のリラクゼーション装置。
【請求項１２】
前記上部ケーシングの内周縁から少なくとも１つの突合せ部を延伸し、前記下部ケーシングが前記突合せ部に対応する少なくとも１つの穴部を有し、前記突合せ部と穴部を対向して組み立てたことを特徴とする請求項１に記載のリラクゼーション装置。
【請求項１３】
前記穴部及び前記突合せ部に貫設された少なくとも１個の固定具を更に備えることを特徴とする請求項１２に記載のリラクゼーション装置。
【考案の詳細な説明】
【技術分野】
【０００１】
本考案は、リラクゼーション装置に関し、特に、人間又は動物の不安な気持ちを効果的になだめることができるリラクゼーション装置に関する。
【背景技術】
【０００２】
近代社会において人々の結婚状況は益々晩婚化、非婚化等という傾向を見せ、これら晩婚族、非婚族は、その寂しさを解消するため、犬、猫等の小動物を飼育するケースが増加している。それらの犬、猫は非常に可愛らしく、愛想もいいが、動物はそれら自身の特定の情緒反応を示し、犬を例にすると、雷の音や爆竹音等の騒音を突然聞きつけた時、吃驚して、緊張感や不安感を抱き、また、子犬が母犬から離れて新しい環境に移った最初の数日間は不安な行動をとる。
【０００３】
また、人間の乳児又は幼児を例とすると、保護者が別の用事で視線を外した時、乳児又は幼児は保護者が見えなくなることで情緒の不安定を生じる。
【０００４】
よって、如何にして人間又は動物の上記のような不安感や緊張感を解消するかは、本考案の考案者と当業者において研究改善に取り組むことが急務となっていた。
【考案の概要】
【考案が解決しようとする課題】
【０００５】
そこで、上記課題を効果的に解決するため、本考案の主要目的は、人間又は動物の不安感或いは緊張感を効果的になだめることができるリラクゼーション装置を提供することである。
【０００６】
本考案の副次的な目的は、人間又は動物の神経の高ぶり、緊張感、焦燥感や不安感を大幅に和らげるリラクゼーション装置を提供することである。
【０００７】
本考案の副次的な目的は、人間又は動物の安心感を大幅に増すことができるリラクゼーション装置を提供することである。
【課題を解決するための手段】
【０００８】
上記目的を達成するため、本考案は、リラクゼーション装置であって、リラクゼーションシステムを収容するための収容空間を備えた本体を含み、前記リラクゼーションシステムは、スイッチ信号を生成するためのスイッチ手段と、前記スイッチ手段に接続し、且つ少なくとも１つのなだめるための音声信号を保存するためのストレージモジュールを備え、前記スイッチ信号によってオンにすることで、制御信号を生成すると共に前記少なくとも１つのなだめるための音声信号を出力する制御手段と、前記制御手段に接続し、前記制御信号によって振動を発生して前記本体を振動させる振動手段と、前記制御手段に接続し、前記少なくとも１つのなだめるための音声信号を受信することで、少なくとも１つのなだめるような音を出力する音声出力手段と、を含むことを特徴とする。
【０００９】
好適な実施形態において、前記なだめるような音は、心音及び／又は呼吸音とすることを特徴とする。
【００１０】
好適な実施形態において、前記本体は、上部ケーシングと下部ケーシングとを備え、前記上部、下部ケーシングが共同で収容空間を特定することを特徴とする。
【００１１】
好適な実施形態において、前記スイッチ手段と前記制御手段と前記振動手段と前記音声出力手段に接続並びに電源を供給する給電手段を更に備え、前記給電手段が電池或いはソーラー式電源装置であることを特徴とする。
【００１２】
好適な実施形態において、前記音声出力手段は、スピーカとすることを特徴とする。
【００１３】
好適な実施形態において、前記制御手段は、制御回路基板とすることを特徴とする。
【００１４】
好適な実施形態において、前記振動手段は、コアレスモータとすることを特徴とする。
【００１５】
好適な実施形態において、前記本体は、ハート型、円形、矩形又はそれら以外の幾何学的形状を呈することを特徴とする。
【００１６】
好適な実施形態において、前記リラクゼーションシステムは、前記制御手段に接続し、外部遠隔制御信号を受信し、また前記外部遠隔制御信号によって前記制御手段のオン又はオフを制御するための受信手段を更に備えることを特徴とする。
【００１７】
好適な実施形態において、前記外部遠隔制御信号は、遠隔制御装置から生成することを特徴とする。
【００１８】
好適な実施形態において、前記遠隔制御装置は、携帯電話、リモコン、ＰＤＡ、タブレット電子機器又はスマートウォッチとすることを特徴とする。
【００１９】
好適な実施形態において、前記上部ケーシングの内周縁から少なくとも１つの突合せ部を延伸し、前記下部ケーシングが前記突合せ部に対応する少なくとも１つの穴部を有し、前記突合せ部と穴部を対向して組み立てたことを特徴とする。
【００２０】
好適な実施形態において、前記穴部及び前記突合せ部に貫設された少なくとも１個の固定具を更に備えることを特徴とする。
【００２１】
更に具体的に説明すれば、上記目的を達成するため、本考案は、リラクゼーションシステムを収容するための収容空間を備えた本体を含むリラクゼーション装置を提供し、該リラクゼーションシステムがスイッチ手段と制御手段と振動手段と音声出力手段とを含み、該スイッチ手段はスイッチ信号を生成するために用いられ、該制御手段が該スイッチ手段に接続し、且つ少なくとも１つのなだめるための音声信号を保存するためのストレージモジュールを備え、該制御手段は該スイッチ信号によってオンにすることで、制御信号を生成すると共に該少なくとも１つのなだめるための音声信号を出力し、該振動手段が該制御手段に接続し、該制御信号によって振動を発生して該本体を振動させ、該音声出力手段が該制御手段に接続し、該少なくとも１つのなだめるための音声信号を受信することで、少なくとも１つのなだめるような音を出力する。
【００２２】
本考案の上記構成により、これを使用する時、前記リラクゼーション装置を人間又は動物の胸部に間接的に接触（つまり、該リラクゼーション装置を乳児のベッド或いは乳児の玩具内、若しくはペット専用のペットウォータールー、ペット玩具内に入れ、又は該リラクゼーション装置を人間又は動物のおんぶ紐、衣類上に装着）させ、該リラクゼーション装置をオンにした時、該リラクゼーションシステムの制御手段が該スイッチ手段のスイッチ信号によって該制御信号を生成し、該振動手段は該制御信号によって振動を発生することで、該本体を振動させ、同時に、該制御信号が前記ストレージモジュール内に保存され、事前録音済みのなだめるための音声信号を音声出力手段に出力し、前記音声出力手段が該事前録音済みのなだめるための音声信号を受信すると共に該なだめるような音を出力する。本実施例において、該音声出力手段が出力されるなだめるための音は、心音及び呼吸音の両者が同時に存在し、実際に実施した時、ユーザーのニーズに応じて心音或いは呼吸音のうちの１種を選択できる。この点について、先ず説明しておく。
【００２３】
人間が神経の高ぶり或いは動物が緊張感や不安感を抱いた時、該リラクゼーション装置が人間又は動物に間接的に接触することを通じて、人間又は動物に近距離で振動を感じさせると共に該リラクゼーション装置から発された心音及び呼吸音を聴かせることで、人間又は動物の気持ちを徐々にリラックスさせると共に安定させ、元々焦燥感や不安感を有する人間又は動物を徐々に落ち着かせることで、人間又は動物の緊張感や不安感をなだめる効果を奏し、また人間又は動物の安心感を大幅に高める。
【００２４】
このほかに、該リラクゼーションシステムは、該制御手段に接続し、外部遠隔制御信号を受信し、また該外部遠隔制御信号によって該制御手段のオン又はオフを制御するための受信手段を更に備える。言い換えると、該リラクゼーション装置は、外部遠隔制御信号を受信でき、該遠隔制御信号が遠隔制御装置から生成し、該遠隔制御装置を通じて該リラクゼーション装置を遠隔制御できる機能を有する。前記遠隔制御装置は、携帯電話又はリモコン或いはＰＤＡ若しくはタブレット電子機器又はスマートウォッチとする。こうすると、該リラクゼーション装置を事前に人間又は動物のベッド、玩具、おんぶ紐或いは衣類内に装着しておくと、人間又は動物が保護者或いは飼い主から一定の距離を離れた時、ユーザーは該遠隔制御装置を通じて該リラクゼーション装置をオンにして前記リラクゼーションシステムの音声出力手段になだめるような音又は心音を出力させることで、人間又は動物の緊張感や不安感をなだめる効果を奏する。
【考案の効果】
【００２５】
上記のような構成を有する本考案に係るリラクゼーション装置を、事前に人間又は動物のベッド、玩具、おんぶ紐或いは衣類内等に装着しておき、人間又は動物が保護者或いは飼い主から一定の距離を離れた時、ユーザーは該遠隔制御装置を通じて該リラクゼーション装置をオンにして、前記リラクゼーションシステムの音声出力手段になだめるような音を出力等させることで、人間又は動物の緊張感や不安感をなだめる効果を達成できる。
【図面の簡単な説明】
【００２６】
【図１】本考案の実施例１に係るリラクゼーション装置の立体分解図である。
【図２】本考案の実施例１に係るリラクゼーション装置の立体組立図である。
【図３】本考案の実施例１に係るリラクゼーション装置に組み込まれた回路のブロック図である。
【図４】本考案の実施例１に係るリラクゼーション装置の使用状態を示す模式図である。
【図５】本考案の実施例１に係るリラクゼーション装置の別の使用状態を示す模式図である。
【図６】本考案の実施例１に係るリラクゼーション装置の別の使用状態を示す模式図である。
【図７】本考案の実施例１に係るリラクゼーション装置に組み込まれた回路の別のブロック図である。
【図８】本考案の実施例２に係るリラクゼーション装置に組み込まれた回路のブロック図である。
【図９】本考案の実施例２に係るリラクゼーション装置の使用状態を示す模式図である。
【考案を実施するための形態】
【００２７】
本考案の上記目的及びその構造と機能上の特徴は、添付図面の好ましい実施例によって説明する。
【実施例１】
【００２８】
図１、図２、図３を参照すると、本考案の実施例１に係るリラクゼーション装置の立体分解図、立体組立図及びブロック図であり、図に示す通り、リラクゼーション装置１は、本体１０を含み、本実施例において、該本体１０はハート型を呈しているが、これに限られるものではなく、該本体１０の外観はユーザーの好み又はニーズに応じて形状を変更でき、円形或いは矩形若しくは幾何学的形状又は他の任意の形状とすることができる。この点について、先ず説明しておく。
【００２９】
前記本体１０は、上部ケーシング１０１と下部ケーシング１０２とを備え、該上部、下部ケーシング１０１、１０２は共同で収容空間１０３を特定して、リラクゼーションシステム２を収容し、該上部ケーシング１０１の内周縁から少なくとも１つの突合せ部１０１１を延伸させ、該下部ケーシング１０２には該突合せ部１０１１に対応するように少なくとも１つの穴部１０２１を開設し、前記突合せ部１０１１と穴部１０２１を対向させて組み立てる。前記リラクゼーション装置１は、前記穴部１０２１及び突合せ部１０１１を貫設する少なくとも１個の固定具１１を更に備える。
【００３０】
前記リラクゼーションシステム２は、図３に示す如く、スイッチ手段２１と制御手段２２と振動手段２３と音声出力手段２４とを含み、該スイッチ手段２１がスイッチ信号を生成するために用いられ、該制御手段２２が該スイッチ手段２１に接続し、且つなくとも１つのなだめるような音声信号を保存するためのストレージモジュール２２１を備える。該制御手段２２は、該スイッチ信号によってオンにすることで、制御信号を生成すると共に該少なくとも１つのなだめるための音声信号を出力する。前記制御手段２２は制御回路基板である。
【００３１】
前記振動手段２３は、該制御手段２２に接続されたコアレスモータであり、該制御手段２２からの該制御信号によって振動を発生することで、該本体１０を振動させる。
【００３２】
前記音声出力手段２４は、該制御手段２２に接続されたスピーカである。該音声出力手段２４が該少なくとも１つの事前録音済みのなだめるための音声信号を受信することで、少なくとも１つのなだめるような音を出力する。本実施例において、該なだめるような音は、心音及び呼吸音の両者が同時に存在し、実際に実施した時、ユーザーのニーズに応じて心音或いは呼吸音のうちのいずれか１種を選択できる。この点について、先ず説明しておく。
【００３３】
本考案の考案者は、更に一歩進んだ実験研究において、該心音の頻度が５６〜６２回／分、及び該呼吸音の頻度が１２回／分で、且つ１回当たりの呼吸音が約５秒持続するようにした。前記頻度は人間５或いは動物３の気持ちをなだめる最適な頻度であるが、これに限られるものではなく、実際に使用する時、ユーザーのニーズ或いは人間５又は動物３の習性若しくは特性に応じて頻度を調整できる。
【００３４】
図４、図５、図６を一緒に参照すると、本考案の実施例１に係るリラクゼーション装置の使用状態を示す模式図である。本考案の上記構成を有するリラクゼーション装置１を使用する時、まず該リラクゼーション装置１を人間５又は動物３の胸部に間接的に接触（つまり、該リラクゼーション装置１を乳児のベッド或いは乳児の玩具内、若しくはペット専用のペットウォータールー、ペット玩具内に入れ、又は該リラクゼーション装置１を人間５又は動物３のおんぶ紐、衣類上に装着）させ、該リラクゼーション装置１をオンにした時、該リラクゼーションシステム２の制御手段２２が該スイッチ手段２１のスイッチ信号によって該制御信号を生成し、該振動手段２２は該制御信号によって振動を発生することで、該本体１０を振動させ、同時に、該制御信号が前記ストレージモジュール２２１内に保存されたなだめるための音声信号（このなだめるための音声信号は、予め録音すると共にストレージモジュール２２１内に保存されている)を音声出力手段２４に出力し、前記音声出力手段２４が該事前録音済みのなだめるための音声信号を受信すると共に該なだめるような音を出力する。人間５が神経の高ぶりを生じ或いは動物３が緊張感や不安感を抱いた時、該リラクゼーション装置１を人間５又は動物３に間接的に接触させることを通じて、人間５又は動物３に近距離で心拍動を感じさせると共に、該リラクゼーション装置１から発された心音及び呼吸音を聴かせることで、人間５又は動物３の気持ちを徐々に安定させ、元々焦燥感や不安感を有する人間５又は動物３を徐々に落ち着かせることで、人間５又は動物３の緊張感や不安感をなだめる効果を奏し、更に人間５又は動物３の安心感を大幅に高めることができる。
【００３５】
引き続いて図７を参照すると、本考案の実施例１に係るリラクゼーション装置に組み込まれた回路の別のブロック図である。前記リラクゼーション装置の一部の構成要素及び構成要素間の対応関係は、前記リラクゼーション装置と同じであるため、ここではその説明を省略する。ただし、本リラクゼーション装置と前記で述べたものとの最も主要な相違点は、前記リラクゼーション装置１を実際に使用した時、該リラクゼーションシステム２を作動させるために、前記スイッチ手段２１と制御手段２２と振動手段２３と音声出力手段２４とに接続されて電源を供給する給電手段２５を備えることである。前記給電手段２５は電池或いはソーラー式電源装置とする。
【実施例２】
【００３６】
図８、図９を参照すると、これらは本考案の実施例２に係るリラクゼーション装置に組み込まれた回路のブロック図と、使用状態を示す模式図である。前記リラクゼーション装置の一部の構成要素及び構成要素間の対応関係は、前記実施例１のリラクゼーション装置と同じであるため、ここではその説明を省略する。ただし、本リラクゼーション装置と前記で述べたものとの最も主要な相違点は、該リラクゼーションシステム２が該制御手段２２に接続され、外部遠隔制御信号を受信し、また該外部遠隔制御信号によって該制御手段２２のオン又はオフを制御するための受信手段２６を更に備えていることである。言い換えると、該リラクゼーション装置１が外部遠隔制御信号を受信でき、該外部遠隔制御信号が遠隔制御装置４から生成し、該遠隔制御装置４を通じて該リラクゼーション装置１を遠隔制御できる機能を有することである。
【００３７】
前記遠隔制御装置４は、携帯電話又はリモコン或いはＰＤＡ若しくはタブレット電子機器又はスマートウォッチから選ばれるいずれかの１種とするが、前記に限られるものではなく、遠隔制御可能な機能を有する各種の遠隔制御装置４は本考案の保護範囲内に包含される。
【産業上の利用可能性】
【００３８】
本考案に係るリラクゼーション装置は上記のような構成を有することにより、該リラクゼーション装置１を事前に人間５又は動物３のベッド、玩具、おんぶ紐或いは衣類内等に装着しておくと、人間５又は動物３が保護者或いは飼い主から一定の距離を離れた時、ユーザーは該遠隔制御装置４を通じて該リラクゼーション装置１をオンにして、前記リラクゼーションシステム２の音声出力手段２４になだめるような音を出力等させることで、人間５又は動物３の緊張感や不安感をなだめる効果を奏する。
【００３９】
よって、先述したとおり、本考案は、次の利点を有する。
１．人間又は動物の不安な気持ちをなだめる機能を有し；
２．人間又は動物の安心感を大幅に増加でき；
３．人間又は動物の気持ちの緊張感、焦燥感、神経の高ぶり、不安感、等々を緩和する効果を有する。
【００４０】
以上、本考案を実施するための好ましい実施例について説明したが、上記実施例は本考案の理解を容易にするためのものであり、本考案を限定して解釈するためのものではない。本考案の実用新案登録請求の範囲に基づいて行った等価構造の設計変更及び修飾が、本考案の実用新案登録保護範囲内に含まれることは勿論である。
【符号の説明】
【００４１】
１        リラクゼーション装置
１０      本体
１０１    上部ケーシング
１０１１  突合せ部
１０２    下部ケーシング
１０２１  穴部
１０３    収容空間
１１      固定具
２        リラクゼーションシステム
２１      スイッチ手段
２２      制御手段
２２１    ストレージモジュール
２３      振動手段
２４      音声出力手段
２５      給電手段
２６      受信手段
３        動物
４        遠隔制御装置
５        人間
【図１】
0003209539.tif 000003
【図２】
0003209539.tif 000004
【図３】
0003209539.tif 000005
【図４】
0003209539.tif 000006
【図５】
0003209539.tif 000007
【図６】
0003209539.tif 000008
【図７】
0003209539.tif 000009
【図８】
0003209539.tif 000010
【図９】
0003209539.tif 000011